(57)【要約】整髪器は、ハンドル部材と、ハンドル部材から長手方向に延在する毛髪受容部材であって、長手方向において実質的に非直線状の接触面を有し、この接触面の周囲に毛髪が巻き付けられるよう構成された毛髪受容部材とを備える。【選択図】図１
2014507989.tif 000002
【特許請求の範囲】
【請求項１】
ハンドル部材と、
前記ハンドル部材から長手方向に延在する毛髪受容部材であって、長手方向において実質的に非直線状の接触面を有し、この接触面の周囲に毛髪が巻き付けられるよう構成された毛髪受容部材と、を備えることを特徴とする整髪器。
【請求項２】
前記毛髪受容部材は、２個の主接触面を有する平坦部材である、請求項１に記載の整髪器。
【請求項３】
第２の接触面は、長手方向において、実質的に非直線状である、請求項２に記載の整髪器。
【請求項４】
前記毛髪受容部材は、長手方向において、起伏のある、又は波状の輪郭を有する、請求項１〜３のいずれか一項に記載の整髪器。
【請求項５】
前記髪受容部材は、長手方向において、らせん状である、請求項１〜４のいずれか一項に記載の整髪器。
【請求項６】
各起伏部の凹部分を、スタイリングを行う毛髪の一部を受容するように構成してなる、請求項４又は５に記載の整髪器。
【請求項７】
前記毛髪受容部材は、第１及び第２の接触面により画定された、交互にある上方及び下方凹部分内に毛髪を受容するよう適合される、請求項２に従属する請求項４又は５に記載の整髪器。
【請求項８】
前記起伏部はジグザグ形状を有する、請求項４〜７のいずれか一項に記載の整髪器。
【請求項９】
前記起伏部は矩形波の輪郭を有する、請求項１〜７のいずれか一項に記載の整髪器。
【請求項１０】
前記起伏部は実質的に正弦波状である、請求項４〜７のいずれか一項に記載の整髪器。
【請求項１１】
前記起伏部の振幅及び波長の少なくとも一方が、毛髪受容部材の長手方向に沿って変化する、請求項４〜１０のいずれか一項に記載の整髪器。
【請求項１２】
前記毛髪受容部材は、１つ、複数又は各々の前記起伏部の間に、ストレート区域を含む、請求項４〜１１のいずれか一項に記載の整髪器。
【請求項１３】
前記毛髪受容部は、取り外し可能にハンドル部材に取り付けられる、請求項１〜１２のいずれか一項に記載の整髪器。
【請求項１４】
複数の毛髪受容部材が設けられており、前記複数の毛髪受容部材の各々は、前記起伏部の振幅及び波長、前記起伏部の間のストレート区域の有無及び長さ、並びに接触面の幅、厚さ又は長さの少なくとも一つが変化する、請求項１３に記載の整髪器。
【請求項１５】
前記毛髪受容部材は、接触面に巻きつけられた毛髪の少なくとも一部を受容するよう適合された、１つ以上の開口又は溝を含む、請求項１〜１４のいずれか一項に記載の整髪器。
【請求項１６】
前記整髪器は、毛髪に熱を加え、毛髪に生み出されたウェーブを少なくとも一時的に維持するよう適合されてなる、請求項１〜１５のいずれか一項に記載の整髪器。
【請求項１７】
前記整髪器は、少なくとも第１の接触面を加熱するための加熱手段を含む、請求項１６に記載の整髪器。
【請求項１８】
前記加熱手段は電気的に駆動される、請求項１７に記載の整髪器。
【請求項１９】
前記加熱手段は電気抵抗手段を備える、請求項１８に記載の整髪器。
【請求項２０】
動作温度を変更するための温度調節手段を含む、請求項１８又は１９に記載の整髪器。
【請求項２１】
前記毛髪受容部材は熱伝導性材料を含む、請求項１〜２０のいずれか一項に記載の整髪器。
【請求項２２】
前記毛髪受容部材は積層構造を有する、請求項１〜２１のいずれか一項に記載の整髪器。
【請求項２３】
前記毛髪受容部材は、シリコーン材料からなる層を含む、請求項２２に記載の整髪器。
【請求項２４】
前記毛髪受容部材はシリコーン層と熱伝導性層とを備え、これら２つの層を取付手段により互いに取り付けてなる、請求項２３に記載の整髪器。
【請求項２５】
前記毛髪受容部材は、熱伝導性である第３の層を含む、請求項２３又は２４に記載の整髪器。
【請求項２６】
前記２つの熱伝導性層の間に前記シリコーン層を介在させてなる、請求項２５に記載の整髪器。
【請求項２７】
前記シリコーン層は、前記熱伝導性層により包み込まれている、請求項２６に記載の整髪器。
【請求項２８】
前記毛髪受容部材はコーティングを含む、請求項１〜２７のいずれか一項に記載の整髪器。
【請求項２９】
前記コーティングはセラミック材料を含む、請求項２８に記載の整髪器。
【請求項３０】
前記加熱手段は電気抵抗線を備える、請求項１７に記載の整髪器。
【請求項３１】
前記電気抵抗線は、毛髪受容部材の周りに巻き付けられる、請求項３０に記載の整髪器。
【請求項３２】
前記毛髪受容部材はフレーム部材を備え、１つ以上のフレーム部を電気抵抗性とし、加熱手段を構成してなる、請求項１７に記載の整髪器。
【請求項３３】
前記整髪器は、薬品を毛髪に適用するのを少なくとも補助して、毛髪に生み出されたウェーブを少なくとも一時的に維持するよう適合されてなる、請求項１〜１６のいずれか一項に記載の整髪器。
【請求項３４】
前記毛髪受容部材は、薬品の流れを補助するためのフレーム部材を備える、請求項３３に記載の整髪器。
【請求項３５】
前記毛髪受容部材は、薬品の流れを補助するための複数の開口を含む、請求項３３に記載の整髪器。
【発明の詳細な説明】
【技術分野】
【０００１】
本発明は整髪器に関する。特に、本発明は、非排他的に、ヘアウェービング器具に関する。
【背景技術】
【０００２】
人毛に人工的なウェーブを付与するための公知の器具は多く存在する。例として、カーリングトングやカーラー、ワンド、ローラーまたクリンパーなどが含まれる。また、毛髪をカールしたり、天然（又は以前に付与した）ウェーブのある毛髪をストレートにするなどの逆の効果を得るためや、うねりや縮れ、静電気を除去したり、より艶のある見た目を実現するために、ストレートアイロンが使われることもある。
【０００３】
多くの場合、毛髪への効果を決定するのは器具の受容部の形状である。既存の器具の多くは、処理中に毛髪を所定の位置に保持し、かつ、滑り落ちを防ぐため、クリップ部を必要とする。これはユーザにとってあまり便利ではなく、ヘアスタイリングに要する時間の増加を招き得る。
【０００４】
毛髪用ストレートアイロンは２個のヒンジ式顎部を備えており、各顎部は平坦な表面を有する。毛髪は２個の顎部の間に挿入されるが、それ以外の箇所はストレートに保たれ、顎部の周囲に巻き付けられることもない（これは、各顎部の内表面だけを加熱して毛髪を処理するため、非効率的である）。ヘアクリンパーも同様ではあるが、各顎部は平らではあるものの、起伏のある、又は波形の表面を有する（ここでも毛髪は２個の顎部の間に挿入される）。
【０００５】
トング、ローラー等は実質的に直線の円筒部を有しており、毛髪はこの円筒部の周囲に巻き付けられる。これらの器具は、円筒部から外方に延在する直線又はらせん形の分離突起部を有することもできる。しかしながら、これらの突起部は毛髪を分離し、かつ毛髪を所定の位置に保持するためのものであり、毛髪に得られる効果の形状は、分離突起部ではなく、円筒部により実質的に決まる。 
【０００６】
新奇かつファッショナブルなヘアスタイルの創作に対する幅広くかつ継続的な願望が存在するが、可能なヘアスタイルは、既存の器具で作ることのできるものに限定される。トング等は円形らせん効果を生み出す。新たなスタイルの例としては楕円形らせんがあるが、これは既存の器具を使用しては不可能である。
【発明の概要】
【発明が解決しようとする課題】
【０００７】
新しいスタイルを生み出すことができる整髪器を提供することが望まれる。
【０００８】
効果を生み出すために処理される間に、自然に毛髪を保持する整髪器を提供することが望まれる。
【課題を解決するための手段】
【０００９】
本発明によれば、
ハンドル部材と、
前記ハンドル部材から長手方向に延在する毛髪受容部材であって、長手方向において実質的に非直線状の接触面を有し、この接触面の周囲に毛髪が巻き付けられるよう構成された毛髪受容部材と
を備えることを特徴とする整髪器が提供される。
【００１０】
毛髪受容部材は、２個の主接触面を有する平坦部材とすることができる。第２の接触面は、長手方向において、実質的に非直線状とすることができる。
【００１１】
毛髪受容部材は、長手方向において、起伏のある、又は波状の輪郭を有することができる。あるいは、毛髪受容部材は、長手方向において、らせん状とすることができる。らせん状の毛髪受容部材は、２つの平面において、起伏のある、又は波状であると考えられる。
【００１２】
各起伏部の凹部分を、スタイリングを行う毛髪の一部を受容するように構成することができる。毛髪受容部材が平板部材である場合には、毛髪受容部材は、第１及び第２の接触面により画定された、交互にある上方及び下方凹部分内に毛髪を受容するよう適合されていてもよい。
【００１３】
起伏部はジグザグ形状とすることもできる。あるいは、起伏部は矩形波の輪郭を有することもできる。あるいは、起伏部は実質的に正弦波状とすることもできる。ここでの「正弦波状」なる語は、厳密な数学的定義を用いて解釈することを意図していない。
【００１４】
起伏部の振幅及び波長の少なくとも一方を、毛髪受容部材の長手方向に沿って変化させることができる。
【００１５】
毛髪受容部材は、１つ、複数又は各々の起伏部の間に、ストレート区域を含むことができる。
【００１６】
毛髪受容部を取り外し可能にハンドル部材に取り付けることができる。複数の毛髪受容部材を設けてもよい。複数の毛髪受容部材の各々は、起伏部の振幅及び波長、起伏部の間のストレート区域の有無及び長さ、並びに接触面の幅、厚さ又は長さの少なくとも一つが変化してもよい。
【００１７】
毛髪受容部材は、接触面に巻きつけられた毛髪の少なくとも一部を受容するよう適合された、１つ以上の開口又は溝を含んでもよい。
【００１８】
本発明の第１の実施形態によれば、整髪器は、毛髪に熱を加え、毛髪に生み出されたウェーブを少なくとも一時的に維持するよう適合されていてもよい。
【００１９】
整髪器は、少なくとも第１の接触面を加熱するための加熱手段を含むことができる。加熱手段は、商用電源又はバッテリ等により電気的に駆動されることができる。
【００２０】
加熱手段は電気抵抗手段を備えることができる。整髪器は、動作温度を変更するための温度調節手段を含むことができる。
【００２１】
整髪器は、アルミニウム等の熱伝導性材料を備えることができる。
【００２２】
毛髪受容部材は積層構造を有することができる。毛髪受容部材は、ゴム等のシリコーン材料からなる層を含むことができる。毛髪受容部材はシリコーン層と熱伝導性層とを備え、これら２つの層を取付手段により互いに取り付けることができる。取付手段は接着を含むことができる。あるいは、取付手段は、圧縮及び固定の少なくとも一方を含むことができる。
【００２３】
毛髪受容部材は、熱伝導性であってもよい第３の層を含むことができる。２つの熱伝導性層の間にシリコーン層を介在させてもよい。シリコーン層は、熱伝導性層により包み込まれてもよい。
【００２４】
毛髪受容部材はコーティングを含むことができる。コーティングは、セラミック材料を含むことができる。
【００２５】
あるいは、加熱手段は、電気抵抗線を備えることができる。電気抵抗線を毛髪受容部材の周りに巻き付けてもよい。
【００２６】
毛髪受容部材は、フレーム部材を備えることができる。１つ以上のフレーム部を電気抵抗性とし、加熱手段を構成してもよい。
【００２７】
本発明の第２の実施形態によれば、整髪器は、薬品を毛髪に適用するのを少なくとも補助して、毛髪に生み出されたウェーブを少なくとも一時的に維持するよう適合されていてもよい。
【００２８】
毛髪受容部材は、薬品の流れを補助するためのフレーム部材を備えることができる。あるいは、毛髪受容部材は、薬品の流れを補助するための複数の開口を含むことができる。
【図面の簡単な説明】
【００２９】
【図１】本発明の第１の実施形態に従うヘアウェービング器具の側面図である。
【図２】図１の器具の正面図である。
【図３】ヘアウェービング器具の毛髪受容部材の断面側面図である。
【発明を実施するための形態】
【００３０】
添付の図面を参照しつつ、本発明の実施形態を例示的に説明する。
【００３１】
図１及び２は、整髪器１０の第１の実施形態を示しており、整髪器１０は、ハンドル２０と、このハンドル２０から長手方向に延在する毛髪受容部材３０とを備える。毛髪受容部材３０は、平板として形成されており、第１の接触面３２と第２の接触面３４とを有する。図から明らかなように、毛髪受容部材３０は、多数の起伏部３６を画定するジグザグ形輪郭を有する。したがって、接触面は、長手方向において非直線状である。
【００３２】
毛髪受容部材３０は、ケーブル２２を介して商用電源から供給される電力を用いて加熱することのできる熱伝導性材料から形成される。
【００３３】
使用時には、ユーザが毛髪を毛髪受容部材３０の周りに巻き付け、起伏部３６が毛髪を所定の位置に保持するのを補助することができる。接触面から伝わる熱が毛髪を処理し、ウェーブ効果を生み出す。
【００３４】
毛髪受容部材３０は、１つ以上の開口又は溝（図示せず）を含み、毛髪の一部を受容することができる。これを用いて、毛髪の保持を補助し、及び／又は、異なる効果を生み出すことができる。
【００３５】
他の実施形態において、起伏部の振幅又は波長を、毛髪受容部材３０の長さに沿って変化させ、異なる効果を生み出すことができる。また、毛髪受容部材３０は、起伏部の間に設けた直線区域を含むことができる。実際には、整髪器１０を、多数の異なる毛髪受容部材３０を有し、各々がハンドル２０に取り外し可能に取り付けられるキットとして提供することができる。
【００３６】
図３に示すように、毛髪受容部材３０は積層構造を有することができる。ヒーターパッド４０（厚さ０．９ｍｍ）をアルミニウム層４２（厚さ２ｍｍ）上に接着する。ヒーターパッド４０の表皮はシリコーン系ゴムであるので、ヒーターパッドの直上にはセラミックコーティング（厚さ２０μｍ）が正しく接着しない場合がある。したがって、厚さ０．３mmのアルミニウム層４４をヒーターパッド４０上に積層して、後のセラミックコーティング工程で、ヒーターパッドを（上下の）アルミニウムを接着させ、厚さ２ｍｍのアルミニウム層と厚さ０．３ｍｍのアルミニウム製のトップコーティング４４との間にヒーターパッド４０を効果的に「サンドイッチ」するとともに、セラミック製の表皮４６を効果的に「全面」にコーティングする。
【００３７】
セラミックコーティング４６は、耐摩耗性と審美性のためのものである。熱は、ヒーターパッド４０からアルミニウム層４２に伝わり、セラミックコーティング４６の外皮から出て行く。ヒーターパッド４０は、アルミニウム層４２の上部のみに取り付けられる。熱伝達が、（セラミックコーティング後の）アルミニウム層４２の下部に熱を伝えるのに不十分な場合には、アルミニウム層４２を連続させて、下部波状区域も覆うようにできる。ヒーターパッド４０を、温度調節器（図示せず）に繋いで動作温度を変更させ、かつ、ハンドル２０内の主ケーブル２２に繋いで電源に接続する。主電源をヒーターパッド４０に適用することで熱を発生させ、この熱はアルミニウム層４２内に伝達され、セラミックコーティングの外皮４６から出る。アルミニウム層４２は、ヒーターパッド４０をアルミニウム層４２に接着する前に、起伏のある輪郭に曲げられる。
【００３８】
代替的実施形態（図示せず）において、ヒーターパッド４０をアルミニウム層４２に接着する代わりに、ヒーターパッド４０を、薄ゲージステンレス鋼表皮又は被覆により、アルミニウム層４２に押し付ける。この被覆加工は、２つの異なる上部及び下部を形成し、これらを小型の固定具で互いにねじ止めすることで、ヒーターパッド４０をアルミニウム層４２に対して押し付ける。ねじは、アルミニウム溶接等の、永久的な結合法に代えることができる。次いで、結合構造と同様にして、組立体全体をセラミックコートする。
【００３９】
代替的実施態様（図示せず）において、ヒーターパッド４０を中空アルミニウム押出材中に接着剤を用いずに封入する。次いで、押出材を、ヒーターパッド４０が損傷することなく、ヒーターパッド４０の両側が圧縮されるまで、圧縮する。ヒーターパッド４０への圧力により、ヒーターパッド４０とアルミニウム壁との間の良好な機械的接触が、したがって熱伝達が確保される。ヒーターパッド４０がアルミニウム外皮内に封入された後に、「サンドイッチ」組立体を所要の波状輪郭に曲げる。次いで、曲げた組立体をセラミックコーティングする。
【００４０】
代替的実施態様（図示せず）において、選択した材料に応じて、ヒーターパッド４０を省略することができる。例えば、毛髪受容部材３０を、クールポリマー社により提供されるＥシリーズ又はＤシリーズ材料等の熱伝導性ポリマーから形成することができる。電流をこの材料に通して、所要の温度まで加熱する。毛髪受容部材３０を射出成形すれば、ヒーターパッド、接着工程又は封入工程を省略できる。必要に応じて、補強部材を含めることができる。
【００４１】
代替的実施態様（図示せず）において、必要な熱を供給するために、加熱要素を毛髪受容部材３０の周りに巻き付ける。次いで、組立体を、先の実施態様と同様に、セラミックコーティングする。他の代替的実施態様（図示せず）において、毛髪受容部材３０は、加熱手段を設けるために、電気抵抗性のフレームを備えることができる。
【００４２】
本発明の代替的実施態様（図示せず）において、整髪器１０を非電気式とすることができる。整髪器１０を、薬品を毛髪に適用し、生み出した毛髪のウェーブを維持するのを補助するよう適合させることができる。
【００４３】
毛髪受容部材３０は、薬品の流れを補助するフレームを備えることができ、又は、薬品の流れを補助する開口等を含むことができる。
【００４４】
本発明の特定の実施形態を上述してきたが、説明した実施形態から逸脱していても、依然として本発明の範囲に入る場合があることは、理解されるであろう。
【図１】
2014507989.tif 000003
【図２】
2014507989.tif 000004
【図３】
2014507989.tif 000005
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
ハンドル部材と、
前記ハンドル部材から長手方向に延在する毛髪受容部材と、を備え、
前記毛髪受容部材は、長手方向において実質的に非直線状であり、前記非直線状の構成は、使用時には、前記毛髪受容部材の周囲に巻き付けられた毛髪と接触するよう配置された、第１の接触面及び第２の接触面を画定することを特徴とする整髪器。
【請求項２】
前記毛髪受容部材は、長手方向において、起伏のある輪郭、又は波状の輪郭を有し、凹部分が起伏部の間に画定されており、各起伏部の凹部分を、スタイリングを行う毛髪の一部を受容するように構成してなる、請求項１に記載の整髪器。
【請求項３】
前記毛髪受容部材は、第１及び第２の接触面により画定された、交互にある上方及び下方凹部分内に毛髪を受容するよう適合される、請求項１又は２に記載の整髪器。
【請求項４】
前記起伏部はジグザグ形状を有する、請求項１〜３のいずれか一項に記載の整髪器。
【請求項５】
前記起伏部の振幅及び波長の少なくとも一方が、毛髪受容部材の長手方向に沿って変化する、請求項１〜４のいずれか一項に記載の整髪器。
【請求項６】
前記毛髪受容部材は、２つ以上の前記起伏部の間に、ストレート区域を含む、請求項１〜５のいずれか一項に記載の整髪器。
【請求項７】
前記毛髪受容部は、取り外し可能にハンドル部材に取り付けられる、請求項１〜６のいずれか一項に記載の整髪器。
【請求項８】
前記整髪器は、毛髪に熱を加え、毛髪に生み出されたウェーブを少なくとも一時的に維持するよう構成される、請求項１〜７のいずれか一項に記載の整髪器。
【請求項９】
前記整髪器は、少なくとも第１の接触面を加熱するための加熱手段を含む、請求項１〜８のいずれか一項に記載の整髪器。
【請求項１０】
前記加熱手段は電気抵抗手段を備える、請求項９に記載の整髪器。
【請求項１１】
動作温度を変更するための温度調節手段を含む、請求項１０に記載の整髪器。
【請求項１２】
前記毛髪受容部材は積層構造を有する、請求項１〜１１のいずれか一項に記載の整髪器。
【請求項１３】
前記毛髪受容部材はシリコーン層と熱伝導性層とを備え、これら２つの層を取付手段により互いに取り付けてなる、請求項１２に記載の整髪器。
【請求項１４】
前記毛髪受容部材は、熱伝導性である第３の層を含む、請求項１３に記載の整髪器。
【請求項１５】
前記２つの熱伝導性層の間に前記シリコーン層を介在させてなる、請求項１４に記載の整髪器。
【請求項１６】
前記シリコーン層は、前記熱伝導性層により包み込まれている、請求項１５に記載の整髪器。
【請求項１７】
前記加熱手段は電気抵抗線を備え、前記電気抵抗線は、毛髪受容部材の周りに巻き付けられる、請求項９〜１６のいずれか一項に記載の整髪器。
【請求項１８】
前記毛髪受容部材はフレーム部材を備え、１つ以上のフレーム部を電気抵抗性とし、加熱手段を構成してなる、請求項９〜１６のいずれか一項に記載の整髪器。
【請求項１９】
前記毛髪受容部材は、薬品の流れを補助するためのフレーム部材を備える、請求項１〜１８のいずれか一項に記載の整髪器。
【請求項２０】
前記毛髪受容部材は、薬品の流れを補助するための複数の開口を含む、請求項１９に記載の整髪器。
【国際調査報告】
2014507989.tif 000006
2014507989.tif 000007
2014507989.tif 000008